【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
放送局から送信されるコンテンツであって、視聴コンテンツと、当該視聴コンテンツとは異なる時間帯に送信される当該視聴コンテンツに関連付けられた付属コンテンツとを含むコンテンツを取得するシステムであって、
前記付属コンテンツの取得を予約する予約手段と、
前記付属コンテンツの送信時間になると、予約された前記付属コンテンツを前記放送局から取得する取得手段
とを有することを特徴とするコンテンツ取得システム。
【請求項２】
放送局から送信される視聴コンテンツと、当該視聴コンテンツに関連付けられたネットワーク経由で送信される付属コンテンツを取得するシステムであって、
前記付属コンテンツの取得を予約する予約手段と、
前記視聴コンテンツの送信時間とは異なる時間に前記付属コンテンツのアクセスポイントに接続して、予約された前記付属コンテンツを取得する取得手段
とを有することを特徴とするコンテンツ取得システム。
【請求項３】
さらに、前記取得手段により取得された前記付属コンテンツを外部機器に送信する送信手段を有することを特徴とする請求項１又は２に記載のコンテンツ取得システム。
【請求項４】
さらに、
前記取得手段により取得された複数の付属コンテンツの一覧情報を提示する提示手段と、
前記複数の付属コンテンツの中から任意の付属コンテンツをユーザが選択するための選択手段
とを有し、
前記送信手段は、前記選択手段により選択された付属コンテンツを前記外部機器に送信することを特徴とする請求項３に記載のコンテンツ取得システム。
【請求項５】
前記外部機器はプリンタであり、
前記付属コンテンツは印刷に関するコンテンツである
ことを特徴とする請求項３又は４に記載のコンテンツ取得システム。
【請求項６】
前記予約手段は、前記付属コンテンツの取得予定時間を提示することを特徴とする請求項１又は２に記載のコンテンツ取得システム。
【請求項７】
放送局から送信される視聴コンテンツを取得するステップと、
前記視聴コンテンツとは異なる時間帯に前記放送局から送信される前記視聴コンテンツに関連付けられた付属コンテンツの取得を予約するステップと、
前記付属コンテンツの送信時間になると、予約された前記付属コンテンツを前記放送局から取得するステップ
とを有することを特徴とするコンテンツ取得方法。
【請求項８】
放送局から送信される視聴コンテンツを取得するステップと、
前記視聴コンテンツに関連付けられたネットワーク経由で送信される付属コンテンツの取得を予約するステップと、
前記視聴コンテンツの送信時間とは異なる時間に前記付属コンテンツのアクセスポイントに接続して、予約された前記付属コンテンツを取得するステップ
とを有することを特徴とするコンテンツ取得方法。
【請求項９】
放送局から送信される視聴コンテンツを取得するステップと、
前記視聴コンテンツとは異なる時間帯に前記放送局から送信される前記視聴コンテンツに関連付けられた付属コンテンツの取得を予約するステップと、
前記付属コンテンツの送信時間になると、予約された前記付属コンテンツを前記放送局から取得するステップ
とをコンピュータに実行させるためのコンテンツ取得プログラム。
【請求項１０】
放送局から送信される視聴コンテンツを取得するステップと、
前記視聴コンテンツに関連付けられたネットワーク経由で送信される付属コンテンツの取得を予約するステップと、
前記視聴コンテンツの送信時間とは異なる時間に前記付属コンテンツのアクセスポイントに接続して、予約された前記付属コンテンツを取得するステップ
とをコンピュータに実行させるためのコンテンツ取得プログラム。
【手続補正２】
【補正対象書類名】明細書
【補正対象項目名】発明の名称
【補正方法】変更
【補正の内容】
【発明の名称】コンテンツ取得システム、方法及びプログラム
【手続補正３】
【補正対象書類名】明細書
【補正対象項目名】０００１
【補正方法】変更
【補正の内容】
【０００１】
本発明は、データ放送番組を視聴中に選択した各種コンテンツを取得するシステム、方法及びプログラムに関する。
【手続補正４】
【補正対象書類名】明細書
【補正対象項目名】００１９
【補正方法】変更
【補正の内容】
【００１９】
本発明は、データ放送視聴中に紹介された印刷コンテンツの取得予約を可能にすることで、高画質・大容量の印刷コンテンツでも、確実に視聴者に届けることを可能とするデータ放送の各種コンテンツ取得システム、方法及びプログラムを提示することを目的とする。
【手続補正５】
【補正対象書類名】明細書
【補正対象項目名】００２０
【補正方法】変更
【補正の内容】
【００２０】
上記目的を達成するために、本発明に係るコンテンツ取得システムは、放送局から送信されるコンテンツであって、視聴コンテンツと、当該視聴コンテンツとは異なる時間帯に送信される当該視聴コンテンツに関連付けられた付属コンテンツとを含むコンテンツを取得するシステムであって、前記付属コンテンツの取得を予約する予約手段と、前記付属コンテンツの送信時間になると、予約された前記付属コンテンツを前記放送局から取得する取得手段とを有することを特徴とする。
本発明に係るコンテンツ取得システムは、放送局から送信される視聴コンテンツと、当該視聴コンテンツに関連付けられたネットワーク経由で送信される付属コンテンツを取得するシステムであって、前記付属コンテンツの取得を予約する予約手段と、前記視聴コンテンツの送信時間とは異なる時間に前記付属コンテンツのアクセスポイントに接続して、予約された前記付属コンテンツを取得する取得手段とを有することを特徴とする。
本発明に係るコンテンツ取得方法は、放送局から送信される視聴コンテンツを取得するステップと、前記視聴コンテンツとは異なる時間帯に前記放送局から送信される前記視聴コンテンツに関連付けられた付属コンテンツの取得を予約するステップと、前記付属コンテンツの送信時間になると、予約された前記付属コンテンツを前記放送局から取得するステップとを有することを特徴とする。
本発明に係るコンテンツ取得方法は、放送局から送信される視聴コンテンツを取得するステップと、前記視聴コンテンツに関連付けられたネットワーク経由で送信される付属コンテンツの取得を予約するステップと、前記視聴コンテンツの送信時間とは異なる時間に前記付属コンテンツのアクセスポイントに接続して、予約された前記付属コンテンツを取得するステップとを有することを特徴とする。
本発明に係るコンテンツ取得プログラムは、放送局から送信される視聴コンテンツを取得するステップと、前記視聴コンテンツとは異なる時間帯に前記放送局から送信される前記視聴コンテンツに関連付けられた付属コンテンツの取得を予約するステップと、前記付属コンテンツの送信時間になると、予約された前記付属コンテンツを前記放送局から取得するステップとをコンピュータに実行させるためのプログラムである。
本発明に係るコンテンツ取得プログラムは、放送局から送信される視聴コンテンツを取得するステップと、前記視聴コンテンツに関連付けられたネットワーク経由で送信される付属コンテンツの取得を予約するステップと、前記視聴コンテンツの送信時間とは異なる時間に前記付属コンテンツのアクセスポイントに接続して、予約された前記付属コンテンツを取得するステップとをコンピュータに実行させるためのプログラムである。
【手続補正６】
【補正対象書類名】明細書
【補正対象項目名】００２１
【補正方法】変更
【補正の内容】
【００２１】
本発明によれば、データ放送視聴中に紹介された各種コンテンツの取得予約が可能になり、放送局は、高画質・大容量のコンテンツでも、それを確実に視聴者に届けることができる。